(57)【要約】【課題】バスケットを構成するワイヤが破損しにくいバスケット型内視鏡用処置具を提供すること。【解決手段】  複数のバスケットワイヤ４１、４２が弾性的に縮径または拡開するように形成されたバスケット部４０を有するバスケット型内視鏡用処置具１において、先端チップ６が、バスケットワイヤ４１、４２の略中央部分を折り返して形成した折り返し部４１ａ、４２ａを、先端チップ６の筒軸に対して直角方向に固定される略円柱状の第１のリブ６ｂに掛けることによりバスケットワイヤ４１、４２の先端側を纏めて保持する。【選択図】  図２
2019107184.tif 000002
【特許請求の範囲】
【請求項１】
長尺円筒状の可撓性シースと、
該可撓性シースの円筒内に挿通され、押し引き操作されることにより該円筒内を軸方向に進退自在な操作ワイヤと、
該操作ワイヤの先端に設けられ、複数のバスケットワイヤが弾性的に縮径または拡開するように形成されたバスケット部と、
筒状に貫通する内径部を有し、前記複数のバスケットワイヤの先端側を纏めて保持する先端チップと、
前記複数のバスケットワイヤの後端側を纏めて保持する後端チップと、
前記可撓性シースの先端に取り付けられ、前記バスケット部が設けられた操作ワイヤを挿通する先端金具と、
前記操作ワイヤを進退操作するための操作部と、
を備え、前記先端チップに向かう方向を先端側と呼び、前記操作部に向かう方向を後端側と呼ぶバスケット型内視鏡用処置具において、
前記先端チップは、前記バスケットワイヤの略中央部分を折り返して形成した折り返し部を、前記先端チップの筒軸に対して直角方向に固定される略円柱状の第１のリブに掛けて保持することを特徴とするバスケット型内視鏡用処置具。
【請求項２】
前記先端チップの先端に、前記筒軸に対して直角方向に溝が形成され、該溝に前記第１のリブが固定されることを特徴とする請求項１に記載のバスケット型内視鏡用処置具。
【請求項３】
前記先端チップの前記内径部が、軸方向に、バスケットワイヤを纏めて保持するための所定内径の細内径領域と、該細内径領域よりも後端側に位置し、前記細内径領域より内径が大きく前記バスケットワイヤが内部で移動可能な太内径領域とを有することを特徴とする請求項１または２に記載のバスケット型内視鏡用処置具。
【請求項４】
前記バスケット部は、２本のバスケットワイヤにより構成され、
前記先端チップの後端側に、略円柱状の第２のリブが固定され、前記バスケットワイヤのうち、一方のバスケットワイヤの折り返し部が前記第１のリブに掛けられ、他方のバスケットワイヤの折り返し部が前記第２のリブに掛けられることを特徴とする請求項１から３のいずれかに記載のバスケット型内視鏡用処置具。
【請求項５】
前記第２のリブは、前記太内径領域に固定されることを特徴とする請求項４に記載のバスケット型内視鏡用処置具。
【発明の詳細な説明】
【技術分野】
【０００１】
本発明は、体腔内に挿入され、体腔内の結石等の異物を複数の弾性ワイヤにより成るバスケットにより挟み込んで破砕する処置部を備えるバスケット型内視鏡用処置具に係り、特にバスケットを構成するワイヤが破損しにくいバスケット型内視鏡用処置具に関する。
【背景技術】
【０００２】
一般に、体腔内の結石等の異物の回収や破砕のために、長尺状の可撓性シースから突没可能で籠状に拡縮自在なバスケット部を有するバスケット型内視鏡用処置具が使用される。このバスケット型内視鏡用処置具は、可撓性シース内にバスケット部を収納した状態で内視鏡チャネル内に挿通し体腔内の結石等の異物に近づけ、可撓性シースの先端からバスケット部を突出させて、バスケット部内に結石等を取り込み、バスケット部に接続される操作ワイヤを牽引することによりバスケット部を収縮させて結石等を粉砕または把持して引き出すものである。
【０００３】
バスケット型内視鏡用処置具の処置部であるバスケット部は、複数のバスケットワイヤの先端及び後端を纏め、該バスケットワイヤ同士が間隔をもって弾性的に収縮または拡開するように形成される。このバスケットワイヤの先端を纏めて保持するには、チップで纏めて溶接や銀ロー付け、接着剤などによる接合や、かしめにより行うのが一般的である。
このようなバスケット型内視鏡用処置具が記載された文献としては、例えば下記特許文献１が挙げられる。
特許文献１に記載の技術は、バスケット部を構成するワイヤを扁平なワイヤとし、バスケット部が膨縮するときに扁平面に対して垂直の方向に強い方向性を持たせることにより、膨縮するときにバスケットワイヤに粘液の付着した粘液等の外力の作用を受けにくくして結石等の捕獲を容易にすることができるものである。
【０００４】
また、複数のバスケットワイヤの先端をチップに溶接などせずに保持するバスケット型内視鏡用処置具が記載された文献としては、例えば下記特許文献２が挙げられる。
特許文献２に記載の技術は、先端チップとして金属製の短筒を４本固着し、Ｕ字状に曲げ戻された２組のバスケットワイヤの曲げ戻し部近傍を前記短筒の中に１本ずつ計４本（２組）挿通することにより、複数の弾性ワイヤを先端において所望の正しい位置関係に結束して、バスケット部を予定通りの形状に膨らませることができるものである。
【先行技術文献】
【特許文献】
【０００５】
【特許文献１】特開２００２−２５３５５７号公報
【特許文献２】特開２０００−４１９８７号公報
【発明の概要】
【発明が解決しようとする課題】
【０００６】
しかしながら、特許文献１に記載のバスケット型内視鏡用処置具は、バスケットを構成するワイヤを先端において先端結束パイプ（先端チップ）に差し込み、銀ロー付け等により接合しているため、接合時に高温（６００度〜９７０度程度）の熱がワイヤに伝わることにより、ワイヤの劣化を招き、結石の破砕時に先端部に加わる力によってワイヤが破損する可能性があるという課題を有している。
なお、レーザー溶着やはんだ付けによる接合についても上記と同様に高温の熱がワイヤに伝わるという課題を有しており、接着材を用いた場合は接着剤の劣化による破損という課題を有している。また、チップによりワイヤを纏めてかしめた場合は、ワイヤに対する温度の影響はないが、かしめ力の設定が困難であるとともに、ワイヤに外圧による傷ができたり破損が起きるという課題を有している。
【０００７】
また、特許文献２に記載のバスケット型内視鏡用処置具は、４本の微径軟性バスケットワイヤを４個の短筒にそれぞれ先端方向から挿通しなければならず、製造が困難であると共に、短筒を並設するためにチップ全体の外径が大きくなってしまい、内視鏡の視野に入りきらないという課題を有している。
【０００８】
このような課題に鑑みて本発明はバスケットを構成するワイヤが破損しにくく、製造が容易なバスケット型内視鏡用処置具を提供することを目的とする。
【課題を解決するための手段】
【０００９】
前記目的を達成するために本発明によるバスケット型内視鏡用処置具は、長尺円筒状の可撓性シースと、該可撓性シースの円筒内に挿通され、押し引き操作されることにより該円筒内を軸方向に進退自在な操作ワイヤと、該操作ワイヤの先端に設けられ、複数のバスケットワイヤが弾性的に縮径または拡開するように形成されたバスケット部と、筒状に貫通する内径部を有し、前記複数のバスケットワイヤの先端側を纏めて保持する先端チップと、前記複数のバスケットワイヤの後端側を纏めて保持する後端チップと、前記可撓性シースの先端に取り付けられ、前記バスケット部が設けられた操作ワイヤを挿通する先端金具と、前記操作ワイヤを進退操作するための操作部と、を備え、前記先端チップに向かう方向を先端側と呼び、前記操作部に向かう方向を後端側と呼ぶバスケット型内視鏡用処置具において、前記先端チップは、前記バスケットワイヤの略中央部分を折り返して形成した折り返し部を、前記先端チップの筒軸に対して直角方向に固定される略円柱状の第１のリブに掛けて保持することを第１の特徴とする。
【００１０】
また、本発明は、前記第１の特徴のバスケット型内視鏡用処置具において、前記先端チップの先端に、前記筒軸に対して直角方向に溝が形成され、該溝に前記第１のリブが固定されることを第２の特徴とする。
【００１１】
また、本発明は、前記第１又は２の特徴のバスケット型内視鏡用処置具において、前記先端チップの前記内径部が、軸方向に、バスケットワイヤを纏めて保持するための所定内径の細内径領域と、該細内径領域よりも後端側に位置し、前記細内径領域より内径が大きく前記バスケットワイヤが内部で移動可能な太内径領域とを有することを第３の特徴とする。
【００１２】
また、本発明は、前記第１〜３のいずれかの特徴のバスケット型内視鏡用処置具において、前記バスケット部は、２本のバスケットワイヤにより構成され、前記先端チップの後端側に、略円柱状の第２のリブが固定され、前記バスケットワイヤのうち、一方のバスケットワイヤの折り返し部が前記第１のリブに掛けられ、他方のバスケットワイヤの折り返し部が前記第２のリブに掛けられることを第４の特徴とする。
また、前記第４の特徴のバスケット型内視鏡用処置具において、前記第２のリブは、前記太内径領域に固定されることを第５の特徴とする。
【発明の効果】
【００１３】
本発明による内視鏡用処置具は、バスケットワイヤの略中央部分を折り返して形成した折り返し部を、先端チップの筒軸に対して直角方向に固定される略円柱状の第１のリブに掛けて保持することにより、溶接や銀ロー付け、接着剤、かしめなどによらず、先端チップにバスケットワイヤの先端を保持することができるため、バスケットワイヤが破損しにくく、製造が容易となる。
【図面の簡単な説明】
【００１４】
【図１】本発明の実施例によるバスケット型内視鏡用処置具の全体構成を示す図。
【図２】本発明の実施例１によるバスケット型内視鏡用処置具の先端チップを示す図。
【図３】本発明の実施例１によるバスケット型内視鏡用処置具の先端チップと従来の先端チップとの差異を説明するための図。
【図４】本発明の実施例１による先端チップの寸法を説明するための図。
【図５】本発明の実施例１による先端チップへのバスケットワイヤの取り付けを説明する図。
【図６】本発明の実施例２によるバスケット型内視鏡用処置具の先端チップを示す図。
【図７】本発明の実施例３によるバスケット型内視鏡用処置具の先端チップを示す図。
【図８】本発明を適用するバスケット型内視鏡用処置具の操作例を説明するための図。
【発明を実施するための形態】
【００１５】
以下、本発明によるバスケット型内視鏡用処置具の実施例を図面を参照して詳細に説明するが、まず、本発明の実施例によるバスケット型内視鏡用処置具の全体構造を説明する。
【実施例１】
【００１６】
[全体構造]
本実施例によるバスケット型内視鏡用処置具は、図１に示す如く、後端に操作部１０が取り付けられる樹脂やコイル等からなる細長い可撓性シース２と、この可撓性シース２内に進退自在に挿通される操作ワイヤ３と、前記可撓性シース２の先端に配置される硬質の金属材料から成る円筒状の先端金具２０と、前記操作ワイヤ３の先端に連結され、操作部１０の操作により操作ワイヤ３を先端側に押す又は後端側に牽引することより可撓性シース２内から突没可能な処置部である異物破砕用のバスケット部４０とを備える。
なお、本実施例においては、図１右方の操作部１０側に向かう方向を後端側と呼び、図１左右方の先端チップ６に向かう方向を先端側と呼ぶ。
【００１７】
前記操作部１０は、操作ワイヤ３の後端に操作パイプ１２を介して取り付けられる把持部１４と、該操作ワイヤ３に取り付けられた把持部１４の操作パイプ１２が貫通し、送水口１３が開口され、把持部１４を進退することにより操作ワイヤ３先端のバスケット部４を可撓性シース２から突没させる操作部本体１１とを備える。前記送水口１３は、内端部が操作部本体１１の筒内空間に連通され、図示しない注射等を取り付けて可撓性シース２内に薬液等を送液できるように構成されている。
【００１８】
前記バスケット部４は、長尺線状の拠り線を略中央で折り返し、該折り返した部分が先端となる複数本（本実施例において、バスケット部４は、２本のバスケットワイヤを折り返した折り返し部分の４本から成る）のバスケットワイヤ４１、４２と、該バスケットワイヤ４１、４２の折り返した先端を纏めて保持する本実施例の特徴である先端チップ６と、該バスケットワイヤ４１、４２の後端を纏めて固定する後端チップ７とから成り、複数のバスケットワイヤ４１、４２が間隔をもって弾性的に収縮または拡開するように処置部を形成する。
【００１９】
このバスケット部４０は、各バスケットワイヤ４１、４２が湾曲して外側に向けて膨らむように自己付勢され、バスケット部４０の中心軸を対称中心としバスケットワイヤ４１、４２が立体的な線対称な関係で配置され、可撓性シース２内においては縮径され、可撓性シース２の先端から突出した状態においては自己付勢力により膨んで拡開して略籠状となるように構成されている。
【００２０】
[全体の動作説明]
このように構成された本実施例によるバスケット型内視鏡用処置具は、予め患者の体腔内に挿入された内視鏡装置のチャネルを通じて患者の体腔内に挿入されて回収対象物である結石を破砕するために使用され、この施術例を図８を参照して説明する。
【００２１】
このバスケット型内視鏡用処置具の施術は、図８（ａ）に示す如く、医師が、操作ワイヤを牽引して先端部のバスケット部を内部に引き込んで縮径した状態の可撓性シース２を十二指腸の乳頭部２１０内の胆管２２に挿入する工程と、次いで図８（ｂ）の如く、操作ワイヤを押し出して可撓性シース２先端からバスケット部４を開いて結石２３０よりも奥の位置に移動させる工程と、次いで図８（ｃ）の如く、操作ワイヤを突出させて可撓性シース２内に引き込んでバスケット部４０の隙間内に結石２３０を捕捉する工程と、更に図８（ｄ）に示す如く、バスケット部４０を可撓性シース２内にさらに引き込んで可撓性シース２先端の先端金具とバスケット部４０に挟み込んで結石２３０を締め付けることにより結石２３０を破砕する工程によって行われる。
【００２２】
[先端チップの構成]
本実施例の特徴である先端チップ６は、従来においては例えば４本のバスケットワイヤの先端を挿入してカシメや溶接によって固定する構造であったものを、ワイヤ破損を低減し且つ製造を容易にするため、詳細は後述するが、図５（ａ）の如く、２本のバスケットワイヤ４１及び４２を折り返した状態で先端チップ６先端の開口部に挿入し、図５（ｂ）の如く、該バスケットワイヤ４１及び４２の折り折り返し部４１ａ及び４２ａにリブ６ｂを掛け、図５（ｃ）、（ｄ）の如く、リブ６ｂ両端の切断し、バスケットワイヤ４１及び４２を先端チップ内に圧入するものであって、この詳細構造を次に説明する。
【００２３】
本実施例の特徴である先端チップ６について図２〜４を参照して説明する。
なお、図２（ａ）は先端チップ６の外観図、図２（ｂ）は（ａ）を先端側（（ａ）の上方向）から見た図、図２（ｃ）は（ｂ）のＡ−Ａ断面図、図２（ｄ）は（ａ）のＢ−Ｂ断面図、図２（ｅ）は（ａ）のＣ−Ｃ断面図を示し、バスケットワイヤ４１、４２は、籠状に広がらずに閉じた状態を示す。
【００２４】
先端チップ６は、図２（ａ）（ｃ）の如く、体腔の内壁を傷つけないよう先端側が約半球状に形成された先端部６ｅと、後端側が後述するチップ外筒６ｃに嵌合可能な筒状に形成され、細内径領域イを有する先端筒部６ｆとからなる中空のチップ本体６ａと、このチップ本体６ａの先端筒部６ｆの外周に嵌合されレーザー溶接等により固定される筒状のチップ外筒６ｃとから構成され、全体として段差のある筒状の内径部を有する。
この内径部は、図２（ｃ）に示す如く、後述するバスケットワイヤ４１、４２を纏めて保持するための所定内径の細内径領域イと、該細内径領域よりも後端側に位置し、該細内径領域イよりも径が大きく、バスケットワイヤ４１、４２が内部で移動可能な太内径領域ロを有する。
【００２５】
この先端チップ６は、図２（ａ）〜（ｃ）の如く、チップ本体６ａの先端部６ｅの先端には筒軸に対して直角方向の中央に溝６ｄ、６ｄが対称位置に刻設され、この溝６ｄ、６ｄの軸方向の長さ（溝の深さ）は、バスケットワイヤの直径と後述するリブ６ｂの直径を足した長さと同程度とすることが望ましい。
また、この溝６ｄ、６ｄには、バスケットワイヤ４１、４２の各ワイヤ折り返し部４１ａ及び４２ａが掛けられた略円柱状の第１のリブ６ｂが嵌合固定される。このリブ６ｂの長さは、溝６ｄに固定されたときに先端チップ６の外側へ突出部分が長いと体腔の内壁を傷つける可能性があるため、先端チップ６の先端部６ｅの直径と同程度の長さにするのが好ましい。
また、ワイヤ折り返し部４１ａ及びワイヤ折り返し部４２ａより後端側の一部は、先端筒部６ｆに圧入されることにより、図２（ｄ）に示すように、バスケットワイヤ４１、４２の外周の一部がそれぞれ先端筒部６ｆに接触する状態で保持される。
【００２６】
一方、チップ外筒６ｃは、先端筒部６ｆの外周に嵌合する内径となっており、図２（ｃ）〜（ｅ）に示すように、バスケットワイヤ４１、４２とチップ外筒６ｃの内周との間に、先端筒部６ｆの厚み分の隙間６ｇを有する太内径領域が位置する。
【００２７】
なお、本実施例において、バスケットワイヤ４１、４２は、長尺線状の拠り線の略中央部を折り返し、該折り返した部分がバスケットワイヤの先端になるように構成されており、図１のバスケットワイヤ４１、４１の２本が一対となり、バスケットワイヤ４２、４２の２本が一対となるバスケット部４を形成しているが、これに限られるものではなく、例えば２本が一対となるバスケットワイヤを３対でバスケットを構成するようにしてもよい。
【００２８】
[寸法]
次に、先端チップ６の寸法を、図４を用いて説明する（バスケットワイヤ４１、４２、リブ６ｂ不図示）。なお、各部材の寸法の具体例は、バスケットワイヤ４１、４２の径を０．３５ｍｍとして２対計４本のバスケットワイヤを用いた場合の例であるため、これに限られない。
【００２９】
先端チップ６の先端筒部６ｆの細内径領域イの内径Ｌ４は、上述したように、バスケットワイヤ４１、４２の各ワイヤ折り返し部４１ａ、４２ａより後端側の一部を圧入できてバスケットワイヤ４１、４２、のそれぞれの外周の一部を内接し保持できる径となっており、例えば０．８６ｍｍ程度である。また、細内径領域イの長さＬ２は、例えば１．５ｍｍ程度である。
先端部６ｅの先端側の内径Ｌ１は、バスケットワイヤ４１、４２の各折り返し部４１ａ、４２ａ及びリブ６ｂを収納するため、先端筒部６ｆの内径Ｌ４よりも大径となっており、例えば１．２ｍｍ程度である。
チップ外筒６ｃの内径Ｌ５は、先端筒部６ｆと嵌合するため先端筒部６ｆの外径と略同径となっており、例えば１．２ｍｍ程度である。
【００３０】
９
チップ外筒６ｃの太内径領域ロの長さＬ３は、前述したバスケットワイヤ４１、４２が移動可能な長さが必要であって、少なくとも内径Ｌ５の１、５倍〜６倍程度あればよく、例えば２ｍｍ程度であり、チップ外筒６ｃの長さＬ６は例えば３ｍｍ程度である。
【００３１】
[組立方法] 
次に、先端チップ６に対してバスケットワイヤ４１、４２を取り付ける方法について図５を用いて説明する。
この組立方法は、まず、図５（ａ）に示すように、長尺線状の拠り線の略中央部を折り返したバスケットワイヤ４１、４２の後端側を、先端チップ６の先端側から後端側に向けて（図中矢印Ｙ方向）挿入し、次に図５（ｂ）に示すように、バスケットワイヤ４１、４２の各ワイヤ折り返し部４１ａ、４２ａが先端チップ６から突出している状態で、折り返し部４１ａ、４２ａの隙間にリブ６ｂを通し、先端チップ６の後端側に向かって（図中矢印Ｚ方向）、バスケットワイヤ４１、４２を圧入する。
【００３２】
次いで、本組立方法は、図５（ｃ）に示すように、溝６ｄにリブ６ｂを嵌め込み、溝６ｄにリブ６ｂをレーザー溶接により固定した後、図５（ｄ）に示すように、リブ６ｂの先端チップ６の外方に突出している部分を切断する。
この組立方法によって本実施例による先端チップは、熱溶接によってワイヤ破損をすることがないと共に、２本の折り返し部を先端としてリブに掛けた状態でワイヤを先端チップ内に圧入するため容易に製造することができる。
なお、本実施例においては、溝６ｄにリブ６ｂを固定した後に突出部分を切断する例を示したが、これに限られず、リブ６ｂの長さを、先端チップ６から突出しない長さに切断してから溝６ｄに固定するようにしてもよい。
【００３３】
[効果]
このように本実施例に示すバスケット型内視鏡用処置具１は、上述したように、２本のバスケットワイヤ４１、４２を折り返した折り返し部４１ａ、４２ａを先端として略円柱状のリブ６ｂに掛けた状態で、ワイヤを先端チップ内に圧入するものであり、下記効果を奏する。
【００３４】
本実施例に示すバスケット型内視鏡用処置具１は、上記のように、バスケットワイヤ４１、４２の各ワイヤ折り返し部４１ａ、４２ａを、略円柱状のリブ６ｂに掛け、リブ６ｂを先端チップ６の溝６ｄに固定することにより、バスケットワイヤ４１、４２の各折り返し部４１ａ、４２ａに溶接などの熱を加えることなくバスケットワイヤ４１、４２を先端チップで纏めることができ、熱によるバスケットワイヤの破損の心配がない。また、これに加え、先端チップの細内径領域イに、バスケットワイヤ４１、４２を圧入しているため、細内径領域イ内でもバスケットワイヤ４１、４２を保持することができる。
【００３５】
さらに、リブ６ｂを略円柱状として角の無い形状にしたことにより、バスケットワイヤ４１、４２を掛けたときにリブ６ｂの円柱の外周とワイヤ折り返し部４１ａ、４２ａの折り返しの内側とが滑らかに接するため、角がある形状とした場合よりも、結石等の破砕時に強い力が加わったときにワイヤ折り返し部４１ａ、４２ａに加わる力が分散され、バスケットワイヤ４１、４２が破損しにくい。
【００３６】
また、先端チップ６にリブ６ｂを固定してバスケットワイヤを掛けただけのシンプルな構成のため、製造が容易であり、先端チップの外径が大きくなりすぎて内視鏡の視野から外れるという心配がない。
【００３７】
また、バスケット型内視鏡用処置具１は、バスケットワイヤ４１、４２とチップ外筒６ｃとの間に隙間６ｇを設けたことにより、結石をつかんだときに隙間６ｇが形成する許容範囲でバスケットワイヤ４１、４２が動くため、嵌頓しにくく、また嵌頓した場合であっても嵌頓を解除しやすい。
すなわち、本実施例によるバスケット型内視鏡用処置具１は、バスケットワイヤ４１、４２を窄めた状態において、先端チップ６のチップ外筒６ｃの内周との間に隙間６ｇを設けたことにより、図３（ａ）に示すように、バスケットワイヤ４１、４２（４２不図示）を籠状に拡げてバスケット部４０の内部に結石が挟まって動かなくなってしまった場合であっても、操作ワイヤ２を押し引き操作することにより、チップ外筒６ｃの内部でバスケットワイヤ４１、４２をＸ方向（バスケットワイヤ４１、４２が籠状に拡がる方向及び窄まる方向）に移動することができるため、結石を少しずつ動かすことが可能となり、徐々にバスケットワイヤ４１、４２と結石との間に隙間ができて嵌頓を解除することができる。
【００３８】
また、本実施例によるバスケット型内視鏡用処置具１は、バスケットワイヤ４１が、図３（ｂ）のように、チップ外筒６ｃを設けない場合の隙間の無い先端筒部６ｆから突出した箇所からの折り曲げ角度θ２が大きく折り曲げられるのに対し、図３（ａ）に示した如くチップ外筒６ｃから突出した箇所からの折り曲げ角度θ１の方が大きくなるため、結石への食い込み方が少なく嵌頓しにくい効果を奏する。
【実施例２】
【００３９】
次に本発明によるバスケット型内視鏡用処置具１の第２の実施例を図６を用いて説明する。
図６（ａ）は先端チップ６の外観図、図６（ｂ）は（ａ）を先端側（（ａ）の上方向）から見た図、図６（ｃ）は（ｂ）のＤ−Ｄ断面図、図６（ｄ）は（ｂ）のＥ−Ｅ断面図を示し、バスケットワイヤ４１、４２は、籠状に広がらずに閉じた状態を示す。
なお、先端チップの構成以外は、実施例１と同様であるため説明を省略する。
【００４０】
前述の実施例においては、先端チップ６の溝６ｄに、バスケットワイヤ４１、４２の各折り返し部４１ａ、４２ａを掛けたリブ６ｂを固定する例を示したが、これに限られず、第２実施例によるバスケット型内視鏡用処置具１は、例えば、図６に示すように、先端チップ６にリブを２本固定して、それぞれのリブにバスケットワイヤを掛けるようにしてもよい。
【００４１】
すなわち、実施例２によるバスケット型内視鏡用処置具は、図６（ａ）〜（ｄ）に示すように、実施例１と同様に先端チップの先端部６ｅに溝６ｄを形成し、バスケットワイヤ４１の折り返し部４１ａを掛けた第１のリブ６ｂを溝６ｄに固定するとともに、チップ外筒６ｃの太内径領域ロに、バスケットワイヤ４２の折り返し部４２ａを掛けた略円柱状の第２のリブ６ｈを固定している。リブ６ｈは、チップ外筒６ｃの内部に直接レーザー等で溶接するようにしてもよく、チップ外筒６ｃの後端に、筒軸に対して直角方向の中央に溝を形成して該溝にリブ６ｈを固定するようにしてもよい。
なお、操作ワイヤ４１は、太内径領域ロにおいて、リブ６ｈを避けるようにして配置される。
【００４２】
本実施例によるバスケット型内視鏡用処置具は、上記のように、バスケットワイヤ４１のワイヤ折り返し部４１ａを掛けた略円柱状のリブ６ｂを先端チップ６の溝６ｄに固定すると共に、バスケットワイヤ４２の折り返し部４２ａを掛けた略円柱状のリブ６ｈをチップ外筒６ｃ内に固定することにより、バスケットワイヤ４１、４２の各折り返し部４１ａ、４２ａに溶接などの熱を加えることなくバスケットワイヤ４１、４２を先端チップで纏めることができ、熱によるバスケットワイヤの破損を防止することができる。
【００４３】
さらに、リブ６ｂ、６ｈを略円柱状として角の無い形状にしたことにより、バスケットワイヤ４１、４２を掛けたときにリブ６ｂ、６ｈの円柱の外周とワイヤ折り返し部４１ａ、４２ａの折り返しの内側とが滑らかに接するため、角がある形状とした場合よりも、結石等の破砕時に強い力が加わったときにワイヤ折り返し部４１ａ、４２ａに加わる力が分散され、バスケットワイヤ４１、４２が破損しにくい。
【実施例３】
【００４４】
次に本発明によるバスケット型内視鏡用処置具１の第３の実施例を図７を用いて説明する。
図７（ａ）は先端チップ５０の外観図、図７（ｂ）は（ａ）を先端側（（ａ）の上方向）から見た図、図７（ｃ）は（ｂ）のＦ−Ｆ断面図を示し、バスケットワイヤ４１、４２は、籠状に広がらずに閉じた状態を示す。
なお、先端チップの構成以外については、実施例１と同様であるため説明を省略する。
【００４５】
前述の実施例においては、先端チップを、チップ本体及びチップ外筒の２部材を組み立てることにより構成する例を示したが、これに限られず、第３実施例にバスケット型内視鏡用処置具は、先端チップ５０を筒状に形成し、先端に、筒軸に対して直角方向の中央に溝５０ｂ、５０ｂを対称位置に刻設し、該溝５０ｂ、５０ｂに、バスケットワイヤ４１、４２の各ワイヤ折り返し部４１ａ及び４２ａが掛けられた略円柱状のリブ５０ａを嵌合固定するようにしてもよい。
【００４６】
本実施例によるバスケット型内視鏡用処置具は、上述の実施例と同様に、バスケットワイヤ４１、４２の各ワイヤ折り返し部４１ａ、４２ａを掛けた略円柱状のリブ５０ａを先端チップ５０の溝５０ｂに固定することにより、バスケットワイヤ４１、４２の各折り返し部４１ａ、４２ａに溶接などの熱を加えることなくバスケットワイヤ４１、４２を先端チップで纏めることができ、熱によるバスケットワイヤの破損を防止することができる。
【００４７】
さらに、リブ５０ａを略円柱状として角の無い形状にしたことにより、バスケットワイヤ４１、４２を掛けたときにリブ５０ａの円柱の外周とワイヤ折り返し部４１ａ、４２ａの折り返しの内側とが滑らかに接するため、角がある形状とした場合よりも、結石等の破砕時に強い力が加わったときにワイヤ折り返し部４１ａ、４２ａに加わる力が分散され、バスケットワイヤ４１、４２が破損しにくい。
なお、本実施例に前述の実施例２を組み合わせてバスケットワイヤ４１、４２の各折り返し部４１ａ，４２ａを掛けたリブを先端側と後端側の２箇所で固定するようにしてもよい。
【符号の説明】
【００４８】
１  バスケット型内視鏡用処置具、２  可撓性シース、３  操作ワイヤ、６  先端チップ、
６ａ  チップ本体、６ｂ  リブ、６ｃ  チップ外筒、６ｄ  溝、６ｅ  先端部、
６ｆ  先端筒部、６ｇ  隙間、７  後端チップ、１０操作部、
２０  先端金具、２０ａ  細内径部、２０ｂ  太内径部
４０  バスケット部、４１  バスケットワイヤ、４１ａ  ワイヤ折り返し部、
４２  バスケットワイヤ、４２ａ  ワイヤ折り返し部、イ  細内径領域、ロ  太内径領域、
【図１】
2019107184.tif 000003
【図２】
2019107184.tif 000004
【図３】
2019107184.tif 000005
【図４】
2019107184.tif 000006
【図５】
2019107184.tif 000007
【図６】
2019107184.tif 000008
【図７】
2019107184.tif 000009
【図８】
2019107184.tif 000010